(57)【要約】【課題】使用する度に指先に嵌め込む必要はなく、使用後に容易に廃棄することができる食品用把持具を提供する。【解決手段】食品用把持具１０は内面１０ａと外面１０ｂとを有し、この食品用把持具１０は内面１０ａ側に露出する合成樹脂層２１と、外面側に位置する紙材２２とを有する細長状基材１１からなる。細長状基材１１は一方の基材部分１１Ａと、他方の基材部分１１Ｂと、一方の基材部分１１Ａと他方の基材部分１１Ｂとを区画する中央部の屈曲部１１Ｃとを有する。屈曲部１１Ｃに長手方向に延びる突出リブ１２が設けられて、屈曲部１１Ｃの形状を維持している。【選択図】図１
2012152296.tif 000002
【特許請求の範囲】
【請求項１】
内面と外面とを有し、その内面において食品を把持する細長状基材からなる食品用把持具において、
細長状基材は長手方向中央部に位置し、細長状基材を一方の基材部分と他方の基材部分とに区分する屈曲部を有し、
細長状基材の屈曲部に、長手方向に延びる突出リブが形成され、この突出リブによって屈曲部の形状が保持されることを特徴とする食品用把持具。
【請求項２】
細長状基材は少なくとも内面側に露出する合成樹脂層と、合成樹脂層の外面側に設けられた紙材とを有することを特徴とする請求項１記載の食品用把持具。
【請求項３】
一方の基材部分の先端側外縁と、他方の基材部分の先端側外縁は、いずれも外面側へ折れ曲がることを特徴とする請求項１または２記載の食品用把持具。
【請求項４】
一方の基材部分内面と、他方の基材部分内面に食品を把持するための把持突起が設けられていることを特徴とする請求項１乃至３のいずれか記載の食品用把持具。
【請求項５】
紙材の外面側に、印刷が施されて印刷物が表示されていることを特徴とする請求項２乃至４のいずれか記載の食品用把持具。
【発明の詳細な説明】
【技術分野】
【０００１】
本発明は、例えばポテトチップスなどの油分の多い食品を把持するための食品用把持具に関する。
【背景技術】
【０００２】
従来より、例えばポテトチップスなどの油分の多い食品を把持して食べた後、ＰＣのキーボード等を操作することがある。この場合、食品を把持した後、その都度手洗いしたり、指先を洗ったりしているが、このような手洗い作業は煩雑となっている。
【０００３】
このため油分の多い食品を指先で把持するための食品用把持具がいくつか開発されている。
【０００４】
しかしながらこのような食品用把持具は、一般に指先に嵌め込まれるサック状のものが多く、食品用把持具を指先に嵌め込む作業が煩雑となっている。
【先行技術文献】
【特許文献】
【０００５】
【特許文献１】特開平７−２８４５０８号公報
【特許文献２】特開２００２−２０９９３３号公報
【特許文献３】特開２００７−３２１３０６号公報
【発明の概要】
【発明が解決しようとする課題】
【０００６】
本発明はこのような点を考慮してなされたものであり、食品を把持する際サックのように指先にその都度嵌め込む必要はなく、食品を容易に把持することができるとともに、使用後に簡単に廃棄することができる食品用把持具を提供することを目的とする。
【課題を解決するための手段】
【０００７】
本発明は、内面と外面とを有し、その内面において食品を把持する細長状基材からなる食品用把持具において、細長状基材は長手方向中央部に位置し、細長状基材を一方の基材部分と他方の基材部分とに区分する屈曲部を有し、細長状基材の屈曲部に、長手方向に延びる突出リブが形成され、この突出リブによって屈曲部の形状が保持されることを特徴とする食品用把持具である。
【０００８】
本発明は、細長状基材は少なくとも内面側に露出する合成樹脂層と、合成樹脂層の外面側に設けられた紙材とを有することを特徴とする食品用把持具である。
【０００９】
本発明は、一方の基材部分の先端側外縁と、他方の基材部分の先端側外縁は、いずれも外面側へ折れ曲がることを特徴とする食品用把持具である。
【００１０】
本発明は、一方の基材部分内面と、他方の基材部分内面に食品を把持するための把持突起が設けられていることを特徴とする食品用把持具である。
【００１１】
本発明は、紙材の外面側に、印刷が施されて印刷物が表示されていることを特徴とする食品用把持具である。
【発明の効果】
【００１２】
以上のように本発明によれば、食品用把持具の屈曲部は予め屈曲しているため、使用者は食品用把持具の外面に指先を当接させて食品用把持具を更に屈曲させることにより、食品の内面により食品を容易に把持することができる。この場合、屈曲部に長手方向に延びる突出リブが設けられているため、屈曲部の形状を安定して維持することができる。また屈曲部に薄肉の罫線（ヒンジ）を設ける必要はなく、食品用把持具を何回使用しても屈曲部の繊維が切れて屈曲部の形状が変形することはない。
【図面の簡単な説明】
【００１３】
【図１】図１は本発明による食品用把持具の一実施の形態を示す斜視図。
【図２】図２は食品用把持具を示す側面図。
【図３】図３は食品用把持具を示す上面図。
【図４】図４は食品用把持具を製造するためのブランク材を示す図。
【図５】図５は食品用把持具を構成する細長状基材の層構成を示す図。
【発明を実施するための形態】
【００１４】
以下、図面を参照して、本発明の実施の形態について説明する。
【００１５】
図１乃至図５は本発明による食品用把持具の一実施の形態を示す図である。
【００１６】
図１乃至図５に示すように、食品用把持具１０はポテトチップス等の油分の多い食品、あるいはケチャップ等を含む汚れがつき易い食品を把持するためのものであって、内面１０ａと外面１０ｂとを有している。使用者は食品用把持具１０の外面１０ｂに指を当て、食品用把持具１０の内面１０ａによって食品を把持することができる。
【００１７】
このような食品用把持具１０は細長状基材１１からなっており、この細長状基材１１は少なくとも食品用把持具１０の内面１０ａ側に露出する合成樹脂層２１と、合成樹脂層２１の外面側に設けられた紙材２２とを有している（図５参照）。
【００１８】
図５に細長状基材１１の層構成を示す。図５に示すように、細長状基材１１のうち内面１０ａ側に露出する合成樹脂層２１としては、ＰＰ（ポリプロピレン）層、ＰＥＴ（ポリエチレンテレフタレート）層、ＰＢＴ（ポリブチルテレフタレート）、ＰＭＰ（ポリメチルペンテン）層が用いられ、合成樹脂層２１の厚みは２０μｍとなっている。
【００１９】
また紙材２２は、坪量３００ｇ／ｍ２のものが用いられ、紙材２２の外面上には、適宜印刷を施すことにより印刷物２３を形成することができる。
【００２０】
なお、細長状基材１１の層構成は、図５に示すものに限られることなく、例えば内面１０ａ側から順に合成樹脂層２１および紙材２２を配置するとともに、紙材２２上に更に合成樹脂製の保護層（図示せず）を設けてもよい。
【００２１】
いずれにしても、細長状基材１１のうち内面１０ａ側には合成樹脂層２１が露出しており、この合成樹脂層２１が食品に当接するようになっている。このため食品が油分の多いポテトチップスであったり、ケチャップを含む食品であっても、食品側の油分あるいは汚れが紙材２２側へ浸透することはない。
【００２２】
また細長状基材１１が紙材２２を含むため、使用後に食品用把持具１０を廃棄する場合も、食品用把持具１０を焼却して容易に廃棄することができる。
【００２３】
なお、食品用把持具１０によって食品を短時間だけ把持する場合は、細長状基材１１を紙材２２の単層のみで構成してもよい。この場合は、従来の食品用把持具１０に比べて、食品用把持具１０を安価に製造することができる。
【００２４】
次に食品用把持具１０の細部構造について、図１乃至図３により詳述する。
【００２５】
食品用把持具１０は、上述のように細長状基材１１からなり、この細長状基材１１は長手方向中央部に位置する屈曲部１１Ｃを有し、この屈曲部１１Ｃにより細長状基材１１が一方の基材部分１１Ａと他方の基材部分１１Ｂとに区分されている。
【００２６】
このうち一方の基材部分１１Ａと他方の基材部分１１Ｂは略平坦状をなし、屈曲部１１Ｃは約９０°に屈曲している。このため細長状基材１１からなる食品用把持具１０は屈曲部１１Ｃの９０°の屈曲により全体としてＬ字状形状を有する（図１および図２参照）。そしてＬ字状形状をもつ食品用把持具１０を使用する場合、食品用把持具１０の外面１０ｂ側に指を当て、屈曲部１０Ｃを中心として食品用把持具１０を更に折曲げることにより、内面１０ａ側において食品を把持することができる。
【００２７】
また細長状基材１１の屈曲部１１Ｃには、長手方向に延びる２本の突出リブ１２が設けられ、この２本の突出リブ１２によって屈曲部１１Ｃの屈曲形状（９０°に屈曲する形状）が維持される。
【００２８】
この場合、２本の突出リブ１２は外面１０ｂ側へ突出するとともに、内面１０ａ側へ凹んでいる。しかしながら突出リブ１２は、２本に限られることなく、３本または４本設けてもよく、突出リブ１２を内面１０ａ側へ突出させるとともに外面１０ｂ側へ凹ませてもよい。
【００２９】
さらに一方の基材部分１１Ａの先端側外縁１５Ａと、他方の基材部分１１Ｂの先端側外縁１５Ｂは、いずれも食品用把持具１０の外面１０ｂ側へ向かって４５°程度傾斜して折れ曲がっている。このように一方の基材部分１１Ａの先端側外縁１５Ａと、他方の基材部分１１Ｂの先端側外縁１５Ｂが外面１０ｂ側へ向かって傾斜して折れ曲がるため、食品用把持具１０の外面１０ｂに当接された指先を内面１０ａに把持された食品の油分あるいは汚れから適切に保護することができる。
【００３０】
さらにまた、細長状基材１１の一方の基材部分１１Ａ内面と、他方の基材部分１１Ｂ内面には、それぞれ食品を把持するための把持突起１４が２本ずつ設けられている。各基材部分１１Ａ，１１Ｂに設けられた２本の把持突起１４は、細長状基材１１の長手方向に直交する方向に沿って直線状に設けられているが、各基材部分１１Ａ，１１Ｂに把持突起１４を３本あるいは４本設けてもよい。
【００３１】
さらにまた、各基材部分１１Ａ，１１Ｂ内面に、微細な半球状の把持突起を複数設けてもよい。
【００３２】
次にこのような構成からなる本実施の形態の作用について説明する。
【００３３】
はじめに食品用把持具１０の製造方法について述べる。まず図５に示すような層構成をもつ材料を準備し、この材料を打抜くことにより、図４に示すように、外形が定められた細長形状をもつ平面状のブランク材１０Ａを得る。
【００３４】
次に平面状のブランク材１０Ａに対して熱プレス加工を施す。このことにより内面１０ａ側に露出する合成樹脂層２１と、合成樹脂層２１の外面側に設けられた紙材２２とを有する細長状基材１１からなる食品用把持具１０が得られる。
【００３５】
この場合、細長状基材１１は、長手方向中央部に位置する屈曲部１１Ｃと、屈曲部１１Ｃの両側に位置する一方の基材部分１１Ａと、他方の基材部分１１Ｂとを有し、屈曲部１１Ｃには屈曲部１１Ｃの形状を保持する突出リブ１２が長手方向に沿って形成されている。また一方の基材部分１１Ａの先端側外縁１５Ａと、他方の基材部分１１Ｂの先端側外縁１５Ｂは、いずれも外面１０ｂ側へ傾斜して折れ曲がっている。
【００３６】
使用者は食品用把持具１０の外面１０ｂに指先を当て、食品用把持具１０を屈曲部１１Ｃを中心として屈曲させることにより、その内面１０ａにおいて、食品を把持することができる。
【００３７】
この場合、食品用把持具１０は、屈曲部１０Ｃを中心として予め９０°程度屈曲し、全体としてＬ字形状をもつので、全体として平板状の食品用把持具に比べて食品を容易に把持することができる。
【００３８】
また細長状基材１１の屈曲部１１Ｃは９０°だけ屈曲した形状をもち、この屈曲部１１Ｃに長手方向に延びる突出リブ１２を設けることにより屈曲部１１Ｃの形状を維持することができる。この場合、細長状基材１１の屈曲部１１Ｃは、一方の基材部分１１Ａおよび他方の基材部分１１Ｂと同一の厚みを有し、食品用把持具を屈曲させるために薄肉の罫線（ヒンジ）を形成する必要がない。このため薄肉の罫線（ヒンジ）を有する食品用把持具に比べ、食品用把持具１０を何回使用しても、屈曲部１１Ｃの紙材２２の繊維が切れたり屈曲部１１Ｃが変形することはない。
【００３９】
さらに一方の基材部分１１Ａの先端側外縁１５Ａと、他方の基材部分１１Ｂの先端側外縁１５Ｂが食品用把持具１０の外面１０ｂ側へ傾斜して折れ曲がっている。このため、食品用把持具１０の外面１０ｂに当接された指先を内面１０ａに把持された食品の油分あるいは汚れから適切に保護することができる。
【００４０】
なお、上記のような食品用把持具１０は、使用前において多数積み重ねて（スタックして）保管しておくことができる。また使用後は食品用把持具１０を焼却等により容易に廃棄することができる。
【符号の説明】
【００４１】
１０  食品用把持具
１０ａ  内面
１０ｂ  外面
１１  細長状基材
１１Ａ  一方の基材部分
１１Ｂ  他方の基材部分
１１Ｃ  屈曲部
１２  突出リブ
１４  把持突起
１５Ａ  先端側外縁
１５Ｂ  先端側外縁
２１  合成樹脂層
２２  紙材
２３  印刷物
【図１】
2012152296.tif 000003
【図２】
2012152296.tif 000004
【図３】
2012152296.tif 000005
【図４】
2012152296.tif 000006
【図５】
2012152296.tif 000007